【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
遊技媒体を計数する遊技媒体計数装置と、前記遊技媒体計数装置と通信可能に接続される管理装置とから成る遊技媒体計数システムにおいて、
前記遊技媒体計数装置は、
前記遊技媒体の計数動作を禁止状態に設定する禁止状態設定手段と、
計数許可条件情報を保持する保持手段と、
非接触型ＩＣタグから成る計数担当者用識別タグの近接を受けて当該識別タグに記憶されている情報を読み取る識別タグ処理手段と、
前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、
前記識別タグから読取られたタグ情報を含む前記計数動作に基づく利用データを前記管理装置に送信する送信手段と
を具備し、
前記管理装置は、
前記遊技媒体計数装置から送信される前記利用データを記憶した利用ログデータベースを作成する利用ログ作成手段と、
前記利用ログデータベースに記憶された利用データを所定の条件に基づき集計する集計手段と
を具備することを特徴とする遊技媒体計数システム。
【請求項２】
遊技媒体を計数する遊技媒体計数装置と、前記遊技媒体計数装置と通信可能に接続される景品管理装置とから成る遊技媒体計数システムにおいて、
前記遊技媒体計数装置は、
前記遊技媒体の計数動作を禁止状態に設定する禁止状態設定手段と、
計数許可条件情報を保持する保持手段と、
非接触型ＩＣタグから成る計数担当者用識別タグの近接を受けて当該識別タグに記憶されている情報を読み取る識別タグ処理手段と、
前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、
前記識別タグから読取られたタグ情報を含む前記計数動作に基づく利用データを前記景品管理装置に送信する送信手段と
を具備し、
前記景品管理装置は、
前記遊技媒体計数装置から送信される前記利用データを記憶した利用ログデータベースを作成する利用ログ作成手段と、
前記利用ログデータベースに記憶された利用データを所定の条件に基づき集計する集計手段と
を具備することを特徴とする遊技媒体計数システム。
【請求項３】
遊技媒体を計数する遊技媒体計数装置と、前記遊技媒体計数装置による遊技媒体計数値に応じて計数レシートを発行するレシート発行機に接続される景品管理装置とを通信可能に接続して成る遊技媒体計数システムにおいて、
前記遊技媒体計数装置は、
前記遊技媒体の計数動作を禁止状態に設定する禁止状態設定手段と、
計数許可条件情報を保持する保持手段と、
非接触型ＩＣタグから成る計数担当者用識別タグの近接を受けて当該識別タグに記憶されている情報を読み取る識別タグ処理手段と、
前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、
前記識別タグから読取られたタグ情報を含む前記計数動作に基づく利用データを前記景品管理装置に送信する送信手段と
を具備し、
前記景品管理装置は、
前記遊技媒体計数装置から送信される前記利用データを記憶した利用ログデータベースを作成する利用ログ作成手段と、
前記利用ログデータベースに記憶された利用データを所定の条件に基づき集計する集計手段と
を具備することを特徴とする遊技媒体計数システム。
【請求項４】
前記保持手段は、
自装置の計数操作を許可する計数担当者を識別する担当者識別情報及び遊技店を識別する店識別情報を含む前記計数許可条件を保持すると共に、
前記識別タグ処理手段は、
近接される識別タグに情報を書き込むことも可能とし、
前記識別タグは、
前記保持手段に保持された前記担当者識別情報及び店識別情報を前記識別タグ処理手段によって書込んだ前記タグ情報を記憶し、
前記制御手段は、
前記識別タグ処理手段により前記識別タグから読取られた担当者識別情報及び店識別情報と前記保持手段に保持された担当者識別情報及び店識別情報が各々一致するか否かにより前記禁止状態設定手段の禁止状態を解除または維持する
ことを特徴とする請求項１乃至３のいずれかに記載の遊技媒体計数システム。
【請求項５】
前記利用ログ作成手段は、
前記送信手段から送信される前記担当者識別情報を含む利用データから成る前記利用ログデータベースを作成し、
前記集計手段は、
前記担当者識別情報を前記所定の条件として前記利用ログデータベース内の利用データを集計する
ことを特徴とする請求項４記載の遊技媒体計数システム。
【請求項６】
前記集計手段は、
前記担当者識別情報、所定期間及び集計対象項目を前記所定の条件とする利用データ集計要求を受け入れ、前記担当者識別情報毎の前記所定期間内の前記集計対象項目の利用データを集計する
ことを特徴とする請求項５記載の遊技媒体計数システム。
【請求項７】
前記集計手段は、
計数利用回数及び計数値を前記集計対象項目として受け入れる
ことを特徴とする請求項６記載の遊技媒体計数システム。
【請求項８】
前記集計手段は、
所定のランキング集計対象項目を前記所定の条件とするランキング集計要求を受け入れ、各担当者識別情報別の前記ランキング集計対象項目についてのランキング集計を行なう
ことを特徴とする請求項５記載の遊技媒体計数システム。
【請求項９】
前記集計手段は、
取引回数、計数値合計の少なくともいずれか１つを前記ランキング集計対象項目として受け入れる
ことを特徴とする請求項８記載の遊技媒体計数システム。
【請求項１０】
前記管理装置は、
前記利用ログデータベースに記憶された利用データを所定の検索条件に基づいて検索する検索手段
を更に具備することを特徴とする請求項１記載の遊技媒体計数システム。
【請求項１１】
前記景品管理装置は、
前記利用ログデータベースに記憶された利用データを所定の検索条件に基づいて検索する検索手段
を更に具備することを特徴とする請求項２または３に記載の遊技媒体計数システム。
【請求項１２】
前記検索条件は、
少なくとも取引番号、取引日時、担当者識別情報のいずれかを前記検索条件とする検索要求を受け入れ、該検索条件に該当する利用データを検索する
ことを特徴とする請求項１０または１１に記載の遊技媒体計数システム。
【請求項１３】
前記遊技媒体計数装置は、
前記遊技媒体として玉を計数する玉計数機であり、
前記禁止状態設定手段は、
前記玉の通路に対して閉鎖または開放状態に駆動可能なシャッタ部材であり、
前記制御手段は、
前記禁止状態の解除時、前記シャッタを開放する
ことを特徴とする請求項１乃至３のいずれかに記載の遊技媒体計数システム。
【請求項１４】
前記遊技媒体計数装置は、
前記遊技媒体としてメダルを計数するメダル計数機であり、
前記禁止状態設定手段は、
前記メダルを受け入れてメダル計数位置を通過させるように回転される計数円板であり、
前記制御手段は、
前記禁止状態の解除時、前記計数円板を回転駆動する
ことを特徴とする請求項１乃至３のいずれかに記載の遊技媒体計数システム。
【手続補正２】
【補正対象書類名】明細書
【補正対象項目名】００１３
【補正方法】変更
【補正の内容】
【００１３】
請求項２記載の発明は、遊技媒体を計数する遊技媒体計数装置と、前記遊技媒体計数装置と通信可能に接続される景品管理装置とから成る遊技媒体計数システムにおいて、前記遊技媒体計数装置は、前記遊技媒体の計数動作を禁止状態に設定する禁止状態設定手段と、計数許可条件情報を保持する保持手段と、非接触型ＩＣタグから成る計数担当者用識別タグの近接を受けて当該識別タグに記憶されている情報を読み取る識別タグ処理手段と、前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、前記識別タグから読取られたタグ情報を含む前記計数動作に基づく利用データを前記景品管理装置に送信する送信手段とを具備し、前記景品管理装置は、前記遊技媒体計数装置から送信される前記利用データを記憶した利用ログデータベースを作成する利用ログ作成手段と、前記利用ログデータベースに記憶された利用データを所定の条件に基づき集計する集計手段とを具備することを特徴とする。 
請求項３記載の発明は、遊技媒体を計数する遊技媒体計数装置と、前記遊技媒体計数装置による遊技媒体計数値に応じて計数レシートを発行するレシート発行機に接続される景品管理装置とを通信可能に接続して成る遊技媒体計数システムにおいて、前記遊技媒体計数装置は、前記遊技媒体の計数動作を禁止状態に設定する禁止状態設定手段と、計数許可条件情報を保持する保持手段と、非接触型ＩＣタグから成る計数担当者用識別タグの近接を受けて当該識別タグに記憶されている情報を読み取る識別タグ処理手段と、前記識別タグ処理手段により前記識別タグから読取られたタグ情報と前記保持手段に保持された計数許可条件情報とを照合し、前記読取られたタグ情報が適正である場合に前記禁止状態設定手段の禁止状態を解除して計数動作を行なわせる制御手段と、前記識別タグから読取られたタグ情報を含む前記計数動作に基づく利用データを前記景品管理装置に送信する送信手段とを具備し、前記景品管理装置は、前記遊技媒体計数装置から送信される前記利用データを記憶した利用ログデータベースを作成する利用ログ作成手段と、前記利用ログデータベースに記憶された利用データを所定の条件に基づき集計する集計手段とを具備することを特徴とする。
【手続補正３】
【補正対象書類名】明細書
【補正対象項目名】００１４
【補正方法】変更
【補正の内容】
【００１４】
請求項４記載の発明は、請求項１乃至３のいずれかに記載の発明において、前記保持手段は、自装置の計数操作を許可する計数担当者を識別する担当者識別情報及び遊技店を識別する店識別情報を含む前記計数許可条件を保持すると共に、前記識別タグ処理手段は、近接される識別タグに情報を書き込むことも可能とし、前記識別タグは、前記保持手段に保持された前記担当者識別情報及び店識別情報を前記識別タグ処理手段によって書込んだ前記タグ情報を記憶し、前記制御手段は、前記識別タグ処理手段により前記識別タグから読取られた担当者識別情報及び店識別情報と前記保持手段に保持された担当者識別情報及び店識別情報が各々一致するか否かにより前記禁止状態設定手段の禁止状態を解除または維持することを特徴とする。
【手続補正４】
【補正対象書類名】明細書
【補正対象項目名】００１５
【補正方法】変更
【補正の内容】
【００１５】
請求項５記載の発明は、請求項４に記載の発明において、前記利用ログ作成手段は、前記送信手段から送信される前記担当者識別情報を含む利用データから成る前記利用ログデータベースを作成し、前記集計手段は、前記担当者識別情報を前記所定の条件として前記利用ログデータベース内の利用データを集計することを特徴とする。
【手続補正５】
【補正対象書類名】明細書
【補正対象項目名】００１６
【補正方法】変更
【補正の内容】
【００１６】
請求項６記載の発明は、請求項５に記載の発明において、前記集計手段は、前記担当者識別情報、所定期間及び集計対象項目を前記所定の条件とする利用データ集計要求を受け入れ、前記担当者識別情報毎の前記所定期間内の前記集計対象項目の利用データを集計することを特徴とする。
【手続補正６】
【補正対象書類名】明細書
【補正対象項目名】００１７
【補正方法】変更
【補正の内容】
【００１７】
請求項７記載の発明は、請求項６に記載の発明において、前記集計手段は、計数利用回数及び計数値を前記集計対象項目として受け入れることを特徴とする。
【手続補正７】
【補正対象書類名】明細書
【補正対象項目名】００１８
【補正方法】変更
【補正の内容】
【００１８】
請求項８記載の発明は、請求項５に記載の発明において、前記集計手段は、所定のランキング集計対象項目を前記所定の条件とするランキング集計要求を受け入れ、各担当者識別情報別の前記ランキング集計対象項目についてのランキング集計を行なうことを特徴とする。
【手続補正８】
【補正対象書類名】明細書
【補正対象項目名】００１９
【補正方法】変更
【補正の内容】
【００１９】
請求項９記載の発明は、請求項８に記載の発明において、前記集計手段は、取引回数、計数値合計の少なくともいずれか１つを前記ランキング集計対象項目として受け入れることを特徴とする。
【手続補正９】
【補正対象書類名】明細書
【補正対象項目名】００２０
【補正方法】変更
【補正の内容】
【００２０】
請求項１０記載の発明は、請求項１に記載の発明において、前記管理装置は、前記利用ログデータベースに記憶された利用データを所定の検索条件に基づいて検索する検索手段を更に具備することを特徴とする。  
請求項１１記載の発明は、請求項２または３に記載の発明において、前記景品管理装置は、前記利用ログデータベースに記憶された利用データを所定の検索条件に基づいて検索する検索手段を更に具備することを特徴とする。
【手続補正１０】
【補正対象書類名】明細書
【補正対象項目名】００２１
【補正方法】変更
【補正の内容】
【００２１】
請求項１２記載の発明は、請求項１０または１１に記載の発明において、前記検索条件は、少なくとも取引番号、取引日時、担当者識別情報のいずれかを前記検索条件とする検索要求を受け入れ、該検索条件に該当する利用データを検索することを特徴とする。
【手続補正１１】
【補正対象書類名】明細書
【補正対象項目名】００２２
【補正方法】変更
【補正の内容】
【００２２】
請求項１３記載の発明は、請求項１乃至３のいずれかに記載の発明において、前記遊技媒体計数装置は、前記遊技媒体として玉を計数する玉計数機であり、前記禁止状態設定手段は、前記玉の通路に対して閉鎖または開放状態に駆動可能なシャッタ部材であり、前記制御手段は、前記禁止状態の解除時、前記シャッタを開放することを特徴とする。
【手続補正１２】
【補正対象書類名】明細書
【補正対象項目名】００２３
【補正方法】変更
【補正の内容】
【００２３】
請求項１４記載の発明は、請求項１乃至３のいずれかに記載の発明において、前記遊技媒体計数装置は、前記遊技媒体としてメダルを計数するメダル計数機であり、前記禁止状態設定手段は、前記メダルを受け入れてメダル計数位置を通過させるように回転される計数円板であり、前記制御手段は、前記禁止状態の解除時、前記計数円板を回転駆動することを特徴とする。